(57)【特許請求の範囲】
【請求項１】
文書スキャナ用の画像モジュールにおいて、
基準要素６０を有する鋳造されたハウジング３８と、
画像形成センサアレイ４８と、
前記基準要素に対して前記画像形成センサアレイを付勢するアレイバイアス要素６２と、
前記ハウジングに取り付けられた搬送機構３４と、
を有する、画像モジュール。
【請求項２】
前記ハウジングが単体構造の鋳物から成る、請求項１に記載の画像モジュール。
【請求項３】
前記センサアレイが、互いに対向する前方辺部及び後方辺部を有し、
前記アレイバイアス要素が、前記画像形成センサアレイの前記後方辺部に当接して前記画像形成センサアレイの前記前方辺部を前記基準要素に対して付勢するばねクリップを有する、
請求項２に記載の画像モジュール。
【請求項４】
前記ハウジングに取り付けられた弾性シール及び底部カバーを更に有する、請求項３に記載の画像モジュール。
【請求項５】
基準要素６０及び支持要素５６を有するハウジング３８と、
前方辺部及び後方辺部並びに前面及び裏面を有するセンサ板５２であって該センサ板の前記前面が前記支持要素に当接する前記センサ板５２、及び該センサ板の前記前面上の複数のセンサ要素５０を有する画像形成センサアレイ４８と、
前記画像形成センサアレイの前記後方辺部に当接して前記画像形成センサアレイの前記前方辺部を前記基準要素に対して付勢するばねクリップ６２と、
前記画像形成センサアレイの前記センサ要素の上方で前記ハウジングに取り付けられたレンズ３６と、
前記ハウジングに装着されたランプ３２と、
前記ハウジングに取り付けられた搬送機構３４であって、前記ハウジング及び原稿を相対的に移動させる前記搬送機構３４と、
を有する、文書スキャナ。
【請求項６】
前記ハウジングが側方基準要素を更に有し、前記スキャナが前記センサ板の辺部を前記基準要素に対して付勢する側方ばね７４を更に有する、請求項５に記載のスキャナ。
【発明の詳細な説明】
【０００１】
【発明の属する技術分野】
本発明は、文書走査装置に関する。詳細には、本発明は、画像形成及び搬送に関する構成要素のアセンブリに関する。
【０００２】
【発明が解決しようとする課題】
本発明は、文書スキャナの画像形成センサ要素及び搬送機構を高精度で相対的に配置するための改良された装置及び方法を提供する。
【０００３】
【課題を解決するための手段】
本発明の第１の態様は、文書スキャナ用の画像モジュールにおいて、基準要素を有する鋳造されたハウジングと、画像形成センサアレイと、前記基準要素に対して前記画像形成センサアレイを付勢するアレイバイアス要素と、前記ハウジングに取り付けられた搬送機構と、を有する、画像モジュールである。
本発明の第２の態様は、基準要素及び支持要素を有するハウジングと、前方辺部及び後方辺部並びに前面及び裏面を有するセンサ板であって該センサ板の前記前面が前記支持要素に当接する前記センサ板、及び該センサ板の前記前面上の複数のセンサ要素を有する画像形成センサアレイと、前記画像形成センサアレイの前記後方辺部に当接して前記画像形成センサアレイの前記前方辺部を前記基準要素に対して付勢するばねクリップと、前記画像形成センサアレイの前記センサ要素の上方で前記ハウジングに取り付けられたレンズと、前記ハウジングに装着されたランプと、前記ハウジングに取り付けられた搬送機構であって、前記ハウジング及び原稿を相対的に移動させる前記搬送機構と、を有する、文書スキャナである。
【０００４】
【発明の実施の形態】
図１に示されている文書スキャナ１０は、特に、設計図等の、幅が３６インチ（約９１ｃｍ）以上であり得る大きなフォーマットの原稿１１を扱うように設計されている。以下の説明を読んだ後で、本発明が、より小さな原稿用に設計されたスキャナにも用いられてもよいことが、当業者にはわかるであろう。スキャナ１０は、スキャナハウジング１２と、カバー１４と、ユーザインタフェースモジュール１６とを有する。スキャナハウジング１２は光学要素を囲んでおり、この光学要素は、画像形成アレイ上に画像を結像させるレンズであってもよく、又は、画像を直接受け取る画像形成光センサのアレイを含んでもよい。好ましい光学要素については後述する。走査動作中、光学要素はハウジング内で静止しており、原稿１１は、ハウジング１２の上部にわたる原稿経路に沿って原稿が移動する第１の方向１３に、原稿が光学要素を通過するように、搬送される。着脱可能カバー１４は、原稿経路を囲んでいる。別の態様では、移動する光学要素と、静止又は移動する原稿とを含んでもよい。
【０００５】
カバー上のユーザインタフェースモジュール１６は、スキャナの状態に関する情報及び使用時の指示を提供する。ユーザインタフェースモジュール１６は、キーパッド２０、コントロールボタン２１、及び/又は、接触感知型であってもよい表示スクリーン２２を含み得る。ユーザインタフェースモジュール１６の詳細な構造及び特徴は、スキャナの特定の機能及び能力によって異なる。ユーザインタフェースモジュール１６は、スキャナハウジング１２上の別の位置を含む別の位置にあってもよく、又は、スキャナの他の要素から分かれていてもよい。
【０００６】
スキャナ内のコンピュータ２６は、スキャナの光学要素から画像データを受け取って、そのデータに対して様々な画像処理機能を実施するようプログラムされている。コンピュータ２６は、ユーザインタフェースモジュール１６にも接続されており、ユーザが入力した指示を受け取るとともに、ディスプレイ２２を介してユーザに情報を伝達する。コンピュータ２６は、画像データを更に伝達又は処理するために、又は外部装置からの情報や指示を受け取るために、外部のコンピュータ又は他の装置（図示せず）に接続されていてもよい。コンピュータ２６は、所望の機能に従ってプログラムされた汎用マイクロプロセッサであってもよい。
【０００７】
次に、図２を参照すると、このスキャナの断面図は、スキャナハウジング１２に囲まれた画像モジュール３０を示している。画像モジュール３０は、画像モジュール３０上に配置された原稿を照らすためのランプ３２等の光源を含む。画像モジュール３０に取り付けられた搬送機構３４は、走査される原稿及び画像モジュール３０を、相対的に移動させる。図示されている実施形態では、画像モジュール３０はスキャナハウジング１２内で静止したまま、搬送機構３４が、原稿を画像モジュールに対して移動させる。しかし、或いは、搬送機構３４が、画像モジュール３０を移動させて静止している原稿を通過させるように、設計されてもよい。レンズ３６は、原稿からの反射光を、画像モジュール３０の内部へと通す。説明されている特定の実施形態では、幅が３６インチ（９１．４ｃｍ）までの原稿の画像形成が可能である。従って、レンズ３６の長さは３６〜３７インチ（９１．４〜９４．０ｃｍ）である。
【０００８】
図３には、画像モジュール３０のより詳細な平面図が示されており、図４には、画像モジュール３０の断面図が示されている。画像モジュール３０は、画像モジュール３０の他の要素を保持するためのモジュールハウジング３８を有する。モジュールハウジング３８は、アルミニウム等の硬質材料の単一の単体部品として形成されるのが好ましい。例えば、モジュールハウジング３８は、ダイキャスト又はモールドされたアルミニウムで形成されてもよい。３６インチ（９１．４ｃｍ）のレンズに対して、このモジュールハウジング３８の長さは約４４インチ（１１２ｃｍ）である。硬質の鋳造されたモジュールハウジング３８は、画像モジュール３０の異なる要素を相対的に配置するための、確固たる基準を与える。この確固たる基準により、他の要素を相対的な位置に正確に配置でき、これらの相対的な位置を維持できる。
【０００９】
ランプ３２はモジュールハウジング３８に取り付けられており、画像モジュール３０上を搬送機構３４が移動させる原稿１１（図１）を照らす。ランプ３２は、蛍光管等の、スキャナに従来用いられているものである。ランプは、ランプ用の従来の電気接点を有するランプ装着部４２に取り付けられる。電気接点は、画像モジュールハウジング３８の本体を通して又は迂回してランプ装着部４２に設けられることが、当業者にはわかるであろう。画像モジュールハウジング３８の上面上の反射部４４（図４）は、ランプ３２からの光を走査される原稿１１に向けるのを補助する。反射部４４の正確な性質及び構成は、ランプ３２、レンズ３６、及び原稿経路等の、画像モジュール３０の要素の構成によって異なる。
【００１０】
画像モジュール３０上に配置され、ランプ３２によって照らされた原稿１１は、光を反射して画像モジュール３０に戻す。原稿１１からの反射光は、画像モジュールハウジング３８の上部を貫通する細長い開口部を通って、画像モジュールハウジング３８の内部に入射する。図４を参照すると、ハウジング３８の細長い開口部内のＳＥＬＦＯＣレンズであってもよいレンズ３６と赤外線フィルタガラス４６とを含む光学要素は、その光を集束してフィルタリングする。レンズ３６（１つ又は複数）及び/又は光学フィルタ（１つ又は複数）の正確なタイプは、スキャナの特定の用途によって異なる。ＳＥＬＦＯＣレンズ３６及び赤外線フィルタ４６は、ハウジング３８に永久的に又は着脱可能に取り付けてもよいことが、当業者にはわかるであろう。レンズ３６及びフィルタ４６の取り付け方については、様々なタイプのものが当該技術分野で知られている。レンズ３６に基準パッドを取り付ければ、レンズ３６がレンズ開口部内で垂れ下がることを防止するための補助となる。基準パッドはレンズ３６に接合されてもよい。ブラケットは、赤外線フィルタ４６を保持する。ブラケットに取り付けられたゴム製バンパーが、ブラケットを、ハウジング３８の内部の基準面に対して押圧する。
【００１１】
ＳＥＬＦＯＣレンズ３６及び赤外線フィルタガラス４６を通ってモジュールハウジング３８の内部に入射した光は、画像モジュールハウジング３８の内部の画像形成センサアレイ４８に受容される。画像形成センサアレイ４８は、光を画像データに変換する。画像データは、スキャナコンピュータ２６（図１参照）又は外部のデータ処理装置（図示せず）に送られる。当該技術分野では、多くのタイプの画像形成センサアレイが知られている。図示されている実施形態では、画像形成センサアレイ４８は、１つ以上のセンサ板５２上に所定のパターンで取り付けられた、多数の検出素子５０を有している。詳細には、検出素子５０は、直線状の配列でセンサ板５２に取り付けられる。検出素子５０の直線状の配列は、原稿移動方向１３（図１参照）に対して垂直である。各検出素子５０は、その検出素子に当たった光を表す信号（通常はデジタル）を発生するＣＭＯＳ検出素子であってもよい。検出素子５０の直線状のアレイには、１インチ（約２．５ｃｍ）毎に、例えば、１００〜４００（又はその数倍）の検出素子５０が含まれ得るものであり、各検出素子５０は１画素に対応している。このように、検出素子５０の直線状の配列は、原稿移動方向１３に垂直な、原稿１１を横断して延在する１画素分の幅の線からの光を表す、１組の信号を発生する。スキャナ（又はスキャナからの信号を受け取る外部のコンピュータ）は、その信号を組み合わせて、原稿１１上の画像を再現する。
【００１２】
幅広のフォーマットの原稿を走査できるスキャナでは、原稿１１の全幅を表す信号を発生するのに適した幅の直線状の画像形成センサアレイを入手できないことがある。そのような場合には、原稿１１の幅よりも小さい画像形成センサアレイ４８を用いてもよい。レンズ３６は、原稿１１の画像を、画像形成センサアレイ４８のサイズに合わせて光学的に縮小するように構成されてもよく、又は、画像形成センサアレイ４８が、画像モジュールハウジング３８内を横方向に可動であってもよい。しかし、この好ましい構成は、走査される原稿１１の幅と少なくとも等しい幅で延在する直線状の配列で取り付けられた検出素子５０を有する、全幅画像形成センサアレイ４８を用いるものである。図５に見られるように、画像形成センサアレイ４８は、２つ以上の個別の画像形成センササブアレイで形成されてもよい。図５は、画像モジュール３０の下側を示しており、各画像形成センササブアレイの裏面が見える。各サブアレイは、センサ板５２ａ、５２ｂ上の検出素子の直線状の配列を含み、これらの画像形成センササブアレイの検出素子は互いに位置合わせされている。例えば、３６インチ（９１．４ｃｍ）の直線状アレイは、組み立てられた３つの１２インチ（３１ｃｍ）直線状アレイで構成されてもよい。センサ板５２ａ、５２ｂは相互に取り付けられるのが好ましい。センサ板５２ａ、５２ｂを一体に取り付けるための１つの特定の機構は、光硬化性の接着剤を用いてセンサ板５２ａ、５２ｂに取り付けたガラスのタイバー５４を用いて、それぞれのアセンブリセンサ板５２ａ、５２ｂを互いに取り付けることである。ガラスのタイバー５４は、各アセンブリセンサ板５２ａ、５２ｂの前面に取り付けられるのが好ましい。
【００１３】
画像形成センサアレイ４８は、アレイ支持要素５６（図５）によって、画像モジュール３０の垂直平面に正確に配置される。アレイ支持要素５６は、画像形成アレイ４８の検出素子５０がハウジング３８に対して、従ってレンズ３６及び原稿経路に対して垂直な次元に正確に配置されるように、画像形成センサアレイ４８を配置する。このように、検出素子５０を正確に配置することは、走査される原稿１１を検出素子５０の焦点に適切に配置するための一助となる。図示されている特定の実施形態では、アレイ支持要素は、ハウジング３８の上壁からハウジング内部へと縦に延びる複数のアレイ支持リブ５６を有する。アレイ支持リブ５６は、各センサ板５２の、検出素子を含む前面に当接する。ハウジング３８に対する画像形成センサアレイ４８の検出素子５０の正確な配置を容易にするために、センサ板の前面を支持するアレイ支持リブ５６の水平方向の端部は、高い精度レベルで鋳造又は切削される。各アレイ支持リブ５６は、センサ板５２ａ、５２ｂ上の検出素子５０の周りで途切れている。アレイ支持要素は、更に、ハウジング３８の上壁からハウジング３８の長さの少なくとも一部に沿って延びる別のリブ５８を含んでもよい。
【００１４】
画像形成センサアレイ４８を、ハウジング３８の一部として設けられた基準要素と位置合わせすることにより、画像形成センサアレイ４８が、画像モジュール３０の水平平面に正確に配置される。図示されている実施形態では、基準要素はハウジング３８の一部として形成されており、ハウジング３８の側壁からハウジング内部に突出する一連の基準リブ６０を含む。図５に、１つの例示的な基準リブ６０が示されている。更なる基準リブ６０が、ハウジング３８の長さに沿って離間される。ハウジング３８に対する画像形成センサアレイ４８の正確な配置を容易にするために、基準リブ６０の垂直方向端部は、高い精度レベルで鋳造又は切削される。
【００１５】
ハウジング３８に対する画像形成センサアレイ４８の検出素子５０の水平位置を維持するために、複数のアレイバイアスクリップ６２が、画像形成センサアレイ４８を基準リブ６０に対して付勢する。アレイバイアスクリップ６２は、センサ板５２の後方辺部に当接し、画像形成センサアレイ４８のセンサ板５２の前方辺部を基準リブ６０に対して付勢する。当該技術分野で公知のように、検出素子５０は、センサ板の前方辺部に対して、センサ板５２上に正確に配置されてもよい。従って、ハウジング３８内に（基準リブを介して）センサ板５２の前方辺部のための正確な基準点を設けることで、ハウジング３８に対する、従ってレンズ３６に対する検出素子５０の正確な配置が容易になる。
【００１６】
アレイバイアスクリップ６２の構成要素は、板金又は類似の材料から形成される。図５及び図６でわかるように、アレイバイアスクリップ６２は、センサ板５２の後方辺部を押圧するばね要素６４を含む。ばね要素６４はブラケット６６に支持される。図示されている実施形態では、ばね要素６４は、センサ板の後方辺部に接触するばね要素の前方端部を構成する接触棒６８と、ブラケット６６の切り抜き部と係合するクリップ構造とを含む。ブラケット６６からの垂直な突起７２が、ばね要素６４の開口部を通って延出して、管状の構成要素の一端部と接触し、この管状の構成要素が接触棒６８を押圧する。画像形成センサアレイ４８の長さに沿って、更なるアレイバイアスクリップ６２が配置される。
【００１７】
画像モジュールハウジング３８の一端部は、好ましくはハウジング３８の鋳物の一部として形成される側方基準要素も含む。側方基準要素は、ハウジング内の１つ以上のリブを含んでもよく、又はハウジング自体の側壁の内面を含んでもよい。画像形成センサアレイの遠い方の端部にあるバイアス要素ブラケットには、側方ばね７４が取り付けられている。側方ばね７４は、画像形成センサアレイ４８を側方基準要素に対して付勢し、ハウジング３８内での画像形成センサアレイ４８の検出素子の正確な配置を更に補助する。センサアレイ４８の端部に１つの側方ばね７４があれば、センサアレイ４８の横方向の水平位置を維持するのに概ね十分である。従って、画像形成センサアレイ４８の長さに沿った別の位置に配置されるアレイバイアスクリップは、側方ばねを含まない。
【００１８】
バイアスクリップブラケット６６は、センサ板５２の前面に部分的に沿って延在してもよい。バイアスクリップブラケット６６は、センサ板５２に対して、バイアスクリップブラケット６６がセンサ板５２の前面の検出素子５０を妨害しないよう構成されるべきである。バイアスクリップブラケット６６は、ハウジング３８の内部に縦及び/又は横に延在するバイアス支持リブ７６（図４及び図５参照）等のバイアス支持要素によって、ハウジング３８内で支持される。バイアスクリップブラケット６６の脚部７８（図６）は、ハウジング３８のバイアス支持リブ７６のくぼみ又は開口部（図示せず）に嵌合する。更に、バイアス基準リブ８０が、バイアスクリップブラケット６６の縁部と係合し、バイアスクリップブラケット６６を適切な位置に保持するための補助となる。
【００１９】
底部カバー８２はハウジング３８（図４）を囲み、ハウジング３８内の要素を適切な位置に保持する。底部カバー８２は板金で形成され、ハウジング３８の開口部８６（図５）と係合するねじ又はボルト８４によって、ハウジング３８に取り付けられる。底部カバー８２の周囲からハウジング３８の内部に光が入るのを防ぐために、フォーム材等の材料で形成された弾性のシール８８が、底部カバー８２とモジュールハウジング３８の外壁との間に封入されている。底部カバー８２は、モジュールハウジング３８の内部全体を覆う単体である。シール８８の材料は弾性であり、ハウジング３８の縁部に対して密封するようになっている。底部カバー８２は、画像センサアレイをアレイ支持リブ５６に対してしっかりと均等に保持するために、シール８８を、ある点でセンサ板５２の裏面に対して押圧する（締める）、内側を向いた鋳造された隆起部も含む。この材料は、スキャナの動作温度として予期される高温にも耐えられるべきである。ロジャーズ・コーポレイション（Rogers Corporation、コネチカット州ロジャーズ在）から入手できるＰｏｒｏｎ（登録商標）フォーム等のセルラーフォームを用いてもよい。このようなセルラーフォームは、永久ひずみに対して耐久性を有し、長期に渡って予測可能な力に対してモジュールハウジング内の要素に適している。更に、フォームシールの表面全体の皮状の表面は、フォームが、スキャナの動作を妨げることがある塵状の粒子を発するのを防止する。フォームシール８８の周囲の切断辺部（潜在的な粒子の源である）は、モジュールハウジング３８の内部空間の外側で、底部カバー８２の縁部とハウジング３８の縁部との界面を適切な形状とすることによって、密封される。
【００２０】
ハウジング３８内部の全領域を覆うシール８８の代わりに、ハウジング３８本体の周囲と底部カバー８２との間にガスケットを配置してもよい。ガスケットは、光と共に、塵や他の塵埃がハウジングの内部に入らないよう密封する。底部カバーと画像センサアレイとの間に配置された個別の低密度フォームのボタンは、アレイ支持リブ５６に対して画像センサアレイ４８を保持する。
【００２１】
相対的な関係にある、走査される原稿１１（図１）を移動させる搬送機構３４と画像センサアレイ４８とは、ハウジング３８に取り付けられる。上述したように、画像センサアレイ４８はハウジング３８に対して正確に配置される。搬送機構３４をハウジング３８に対して正確に配置することで、搬送機構３４と画像センサアレイ４８とを相対的な位置に正確に配置でき、それにより、走査される原稿と画像センサアレイ４８との正確な位置合わせを確実にできる。図示されている特定の実施形態では、搬送機構３４は、原稿１１を、画像モジュール３０を横切って画像センサアレイ４８を通過するように移動させるよう設計されている。しかし、搬送機構３４は、画像センサアレイ４８を有するハウジング３８を、静止した原稿を通過するように移動させるよう設計されてもよいことが、当業者にはわかるであろう。
【００２２】
再び図３及び図４を参照すると、搬送機構３４は、２つの原稿搬送要素３４ａ及び３４ｂを有する。各搬送要素３４ａ、３４ｂは、駆動軸９０ａ、９０ｂと、原稿ローラ９２ａ、９２ｂのような用紙接触装置とを有する。各駆動軸の一端部の延長部分には、スキャナハウジング内に画像モジュールが搭載された際に駆動ベルト（図示せず）と係合する、プーリホイール９４ａ、９４ｂがある。駆動ベルトは、原稿搬送機構３４の駆動軸９０ａ、９０ｂを回転させるスキャナハウジング１２内のモータ（図示せず）によって駆動される。駆動ベルトによって駆動された際に、原稿駆動軸９０ａ、９０ｂが同じ速度で回転し、原稿を一定に引っ張ってレンズ３６を通過させるように、両方の駆動要素の対応する構成要素は、同じサイズであることが好ましい。
【００２３】
原稿駆動軸９０ａ、９０ｂは、モジュールハウジング３８に対して正確且つ精密に配置され、ハウジング３８にしっかりと固定される。例えば、モジュールハウジング３８の各端部のＶ形部９６が、対応するＶ形状を有する軸装着部９８を受ける。軸装着部９８は、駆動軸９０ａ、９０ｂを囲む軸端ベアリング１００を保持する。軸ベアリングカバー１０２は、軸端ベアリング１００をハウジング３８に固定する。小ねじ１０４等の取付装置が、軸ベアリングカバー１０２をハウジング３８に取り付け、それにより、ハウジング３８に対する各駆動軸９０ａ、９０ｂの位置を固定する。このように、原稿搬送機構３４を、画像センサアレイ４８が正確に配置されているハウジング３８に取り付けることにより、原稿搬送機構３４と走査アレイとの位置合わせが悪いことによって生じる原稿のスキュー（斜め送り）が解消（又は少なくとも低減）される。
【００２４】
特に幅が広いフォーマットの原稿用のスキャナは、駆動軸９０ａ、９０ｂを保持する中間軸ベアリング１０６を含んでもよい。例えば図３を参照すると、ハウジングに中間ベアリング装着部が取り付けられており、駆動軸９０ａ、９０ｂを囲む中間軸ベアリング１０６を保持している。このようなベアリング装着部及びそれらの取り付け方は、当該技術分野でよく理解されている。
【００２５】
上述した画像モジュール３０は、画像モジュールハウジング３８に対して正確に配置された、文書スキャナの多くの重要な構成要素と共に、画像モジュール内に完全に収容される。これにより、レンズ、画像形成センサアレイ、ランプ、及び原稿搬送機構が、統合された画像モジュールに収容され、構成要素の高精度の配置に備える。完成した画像モジュールを、要素間の位置関係を乱さずに、文書スキャナハウジング内に搭載することができる。
【００２６】
スキャナカバー１４（図１）は、原稿１１を、レンズ３６及び画像形成センサアレイの検出素子５０からの所定の垂直距離に保持する、原稿バッキング構造を有する。走査動作中、原稿搬送機構３４が原稿を移動させてレンズ３６を通過させる際に、原稿バッキング構造は、原稿を検出素子５０の焦点面に保持する。このようなバッキング構造は当該技術分野で公知である。
【００２７】
上記の好ましい実施形態を読む際に、当業者は、特定の実施形態に、本発明から逸脱することなく様々な変形が可能であることがわかるであろう。例えば、ハウジングの特定の形状及び構成、特に、支持及び基準要素を変更できる。更に、他の様々なタイプのバイアスクリップ、及び、構成要素の位置を保持するための他のタイプの機構も明白となろう。
【図面の簡単な説明】
【図１】本発明を組み込んだ文書スキャナの斜視図である。
【図２】図１のスキャナの、図１の線２−２に沿った断面図である。
【図３】本発明を組み込んだ画像モジュールの特定の実施形態の平面図である。
【図４】図３の画像モジュールの、図３の線４−４に沿った断面図である。
【図５】図３の画像モジュールの下側の斜視図である。
【図６】図３の画像モジュールに組み込まれたブラケットの斜視図である。
【符号の説明】
１０    スキャナ
３０    画像モジュール
３２    ランプ
３４    搬送機構
３６    レンズ
３８    モジュールハウジング
４８    画像形成センサアレイ
５０    検出素子
５２    センサ板
５６    アレイ支持リブ（支持要素）
６０    基準リブ（基準要素）
６２    アレイバイアスクリップ
７４    側方ばね
８０    バイアス基準リブ（側方基準要素）
【図１】
0003863430.tif 000002
【図２】
0003863430.tif 000003
【図３】
0003863430.tif 000004
【図４】
0003863430.tif 000005
【図５】
0003863430.tif 000006
【図６】
0003863430.tif 000007